(57)【特許請求の範囲】
【請求項１】
原稿を読取部に自動的に搬送するとともに、表面の画像読み取りが完了した原稿を前記読取部に再送して裏面の画像を読み込む両面読み取り可能な画像読取装置において、
読み取り対象となる原稿が載置される原稿トレイと、
原稿に搬送抵抗を付与することにより、前記原稿トレイに載置された複数枚の原稿を１枚ずつに分離し、その分離された原稿を前記読取部の入口側に送出する分離手段と、
前記読取部の入口側に設けられ、原稿に接触して回転することにより原稿を読取部に搬送する搬送ローラと、
表面の読み取りが完了して前記読取部の入口側に再送される原稿に搬送抵抗を付与する抵抗付与手段であって、表面の読み取りが完了した原稿に接触して回転することにより、前記読取部から排出された原稿を前記搬送ローラに向けて再送する再送ローラを有して構成された抵抗付与手段と、
前記再送ローラに駆動力を伝達する複数の歯車から構成され、正転方向に駆動力を伝達する正転経路と、逆転方向に駆動力を伝達する逆転経路とを切替可能なる変速機とを備え、
前記再送ローラは、前記読取部から排出された原稿の搬送方向前端が前記再送ローラに到達した時以降に、その回転方向を前記正転方向から前記逆転方向に反転して原稿を前記搬送ローラに向けて再送するスイッチバックローラであり、
さらに、前記正転経路と前記逆転経路とで変速比が異なることにより、再送時に前記再送ローラの周速を前記搬送ローラの周速より小さくすることを特徴とする画像読取装置。
【請求項２】
前記変速機は、
駆動力の入力側に配設された入力側歯車、
前記入力側歯車に噛み合って回転するとともに、その回転軸が前記入力側歯車の回転軸を中心として揺動可能な遊星歯車、
前記正転経路を構成するとともに、前記遊星歯車と噛み合う正転側入力歯車、並びに
前記逆転経路を構成するとともに、前記遊星歯車と噛み合う逆転側入力歯車を有しており、
さらに、前記遊星歯車が、前記正転側入力歯車と噛み合う位置と前記逆転側入力歯車と噛み合う位置との間で揺動変位することにより、前記正転経路と前記逆転経路とが切り替えられることを特徴とする請求項１に記載の画像形成装置。
【請求項３】
原稿の搬送方向及び原稿の厚み方向と直交する方向を幅方向と呼ぶとき、
前記再送ローラと原稿との接触部は、前記幅方向中央に対して対称となっていることを特徴とする請求項１又は２に記載の画像読取装置。
【発明の詳細な説明】
【技術分野】
【０００１】
本発明は、原稿の表裏両面に形成された画像を読み取ることが可能な画像読取装置に関するものである。
【背景技術】
【０００２】
両面読取可能な画像読取装置では、原稿の表面を読取部に搬送させた後、原稿の搬送方向を反転（スイッチバック）させて裏面を読取部に搬送させながら画像を読み取るので、表面の読取時と裏面の読取時とで原稿の搬送経路が異なっている。
【０００３】
そして、搬送経路の違いにより搬送抵抗に違いが生じ、原稿の表面を読み取る際の読取部での原稿搬送速度（以下、第１搬送速度という。）と裏面を読み取る際の読取部での原稿搬送速度（以下、第２搬送速度という。）とが相違してしまうと、読み込んだ画像を出力した際に、原稿に記載された画像の大きさに対する出力された画像の大きさの比（以下、画像倍率という。）が表面と裏面とで相違してしまう。
【０００４】
そこで、例えば、特許文献１の発明では、現実の第１、２搬送速度を検出し、その検出結果に基づいて搬送ローラの周速を調整することにより、第１搬送速度と第２搬送速度とが同一速度となるように制御している。
【先行技術文献】
【特許文献】
【０００５】
【特許文献１】特開２００５−７３１３５号公報
【発明の概要】
【発明が解決しようとする課題】
【０００６】
しかし、特許文献１に記載の発明では、現実の第１、２搬送速度を検出して搬送ローラの回転を制御する必要があるので、制御部が複雑となってしまう。
本発明は、上記点に鑑み、特許文献１と異なる簡易な構成で、表面と裏面とで画像倍率が大きく相違してしまうことを抑制することを目的とする。
【課題を解決するための手段】
【０００７】
本発明は、上記目的を達成するために、原稿を読取部（１０３）に自動的に搬送するとともに、表面の画像読み取りが完了した原稿を読取部（１０３）に再送して裏面の画像を読み込む両面読み取り可能な画像読取装置であって、読み取り対象となる原稿が載置される原稿トレイ（１２１）と、原稿に搬送抵抗を付与することにより、原稿トレイ（１２１）に載置された複数枚の原稿を１枚ずつに分離し、その分離された原稿を読取部（１０３）の入口側に送出する分離手段（１２５）と、表面の読み取りが完了して読取部（１０３）の入口側に再送される原稿に搬送抵抗を付与する抵抗付与手段（１２７Ａ、１３９）とを備えることを特徴とする。
【０００８】
ところで、原稿に搬送抵抗を付与することにより複数枚の原稿を１枚ずつに分離する画像読取装置においては、第１搬送速度と第２搬送速度との速度差の発生原因は、主に分離手段（１２５）で付与される搬送抵抗と考えられる。
【０００９】
つまり、表面を読み取る際には分離手段（１２５）から読取部（１０３）に原稿が送出されるので、読取部（１０３）に原稿が到達した後も所定時間は分離手段（１２５）による搬送抵抗が原稿に作用し続けるのに対して、裏面を読み取る際には分離手段（１２５）による搬送抵抗が原稿に作用しないので、第１搬送速度と第２搬送速度とが大きく相違してしまう。
【００１０】
これに対して、本発明では、表面の読み取りが完了した原稿に搬送抵抗を付与する抵抗付与手段（１２７Ａ、１３９）が設けられているので、裏面を読み取る際には抵抗付与手段（１２７Ａ、１３９）による搬送抵抗が原稿に作用することとなる。
【００１１】
したがって、第１搬送速度と第２搬送速度との速度差を小さくすることができるので、特許文献１と異なる簡易な構成で、表面と裏面とで画像倍率が大きく相違してしまうことを抑制できる。
【００１２】
因みに、上記各手段等の括弧内の符号は、後述する実施形態に記載の具体的手段等との対応関係を示す一例であり、本発明は上記各手段等の括弧内の符号に示された具体的手等に限定されるものではない。
【図面の簡単な説明】
【００１３】
【図１】本発明の第１実施形態に係る自動原稿搬送機構１２０の概略構造及び原稿の搬送経路を示す図である。
【図２】原稿の搬送経路を示す図である。
【図３】原稿の搬送経路を示す図である。
【図４】変速機１３５の概略構成を示す図である。
【図５】変速機１３５の概略構成を示す図である。
【図６】遊星歯車１３７Ａの作動を示す図である。
【図７】本発明の第２実施形態の特徴を示す図である。
【図８】本発明の第３実施形態の特徴を示す図である。
【発明を実施するための形態】
【００１４】
本実施形態は、原稿を自動的に搬送しながら原稿に記載された画像を読み取る自動搬送読取機能（ＡＤＦ読取機能）、及び静止載置された原稿に記載された画像を読み取る静止原稿読取機能（フラットベッド読取機能）を兼ね備えた画像読取装置（スキャナ）に本発明に係る画像読取装置１００を適用したものであり、以下、本発明の実施形態を図面と共に説明する。
【００１５】
（第１実施形態）
１．画像読取装置の概略構成
画像読取装置１００には、図１に示すように、静止原稿読取機能用の画像読取窓（以下、静止読取窓という。）１０２、及び自動搬送読取機能用の画像読取窓（以下、自動読取窓という。）１０３が設けられており、両読取窓１０２、１０３は、ガラスやアクリル等の透明なプラテン１０２Ａ、１０３Ａにて閉塞されている。
【００１６】
また、本体部１０１の上面側には、両読取窓１０２、１０３を覆う原稿カバー１０４が揺動可能に組み付けられており、静止読取窓１０２にて原稿読取を行う場合には、この原稿カバー１０４を手動操作にて上方側に開いて原稿を静止読取窓１０２に載置する。
【００１７】
一方、本体部１０１内には、原稿に照射されて反射した光を受光し、その受光した光に基づいて電気信号を発する画像撮像素子１０５が配設されており、画像読取装置１００は、画像撮像素子１０５を介して原稿に記載された文字等の画像を電気信号に変換して画像を読み取っていく。
【００１８】
また、画像撮像素子１０５は、本体部１０１の長手方向（図１の左右方向）に移動可能に本体部１０１に組み付けられており、自動搬送読取機能作動時には、画像撮像素子１０５は自動読取窓１０３の直下に停止配置された状態で画像を読み取り、一方、静止原稿読取機能作動時には、画像撮像素子１０５は静止読取窓１０２の直下で移動しながら画像を読み込んでいく。
【００１９】
また、原稿カバー１０４のうち自動読取窓１０３に対応する部位及びその近傍には、読み取り用の原稿を自動読取窓１０３に搬送する自動原稿搬送機構（オートドキュメントフィーダ（ＡＤＦ））１２０が設けられている。
【００２０】
２．自動原稿搬送機構
２．１．自動原稿搬送機構の構成
原稿トレイ１２１は、読み取り対象となる原稿が載置されるものであり、この原稿トレイ１２１の上方側には、図１に示すように、画像読取が完了した原稿が載置される排出トレイ１２３が設けられている。因みに、複数枚の原稿は、その厚み方向が上下方向に積層された状態で原稿トレイ１２１又は排出トレイ１２３に載置される。
【００２１】
また、原稿トレイ１２１のうち自動読取窓１０３側には、原稿トレイ１２１に載置された複数枚の原稿のうち最下部に位置する原稿から順に自動読取窓１０３の入口側に原稿を送出するフィーダ機構１２５が設けられており、このフィーダ機構１２５は、吸入ローラ１２５Ａ、ニップピース１２５Ｂ、分離ローラ１２５Ｃ及び分離パッド１２５Ｄ等から構成されている。
【００２２】
すなわち、吸入ローラ１２５Ａは、原稿トレイ１２１の最下部に載置された原稿の下面側に接触して回転することにより原稿を分離ローラ１２５Ｃ側に搬送する搬送手段であり、ニップピース１２５Ｂは、原稿を吸入ローラ１２５Ａに押し付ける加圧手段である。
【００２３】
また、分離ローラ１２５Ｃは、吸入ローラ１２５Ａと同様に、原稿の下面側に接触して回転することにより原稿に搬送力を付与するローラであり、分離パッド１２５Ｄは、原稿を挟んで分離ローラ１２５Ｃと反対側から原稿に接触して原稿に搬送抵抗を付与するものである。因みに、本実施形態に係る分離パッド１２５Ｄは、自身に作用する重力及びバネ等の弾性手段により弾性力により、原稿に押圧される。
【００２４】
このため、分離ローラ１２５Ｃと接触する原稿のみが分離ローラ１２５Ｃから搬出され、分離ローラ１２５Ｃと接触する原稿より分離パッド１２５Ｄ側に位置する原稿は、分離パッド１２５Ｄから搬送抵抗を受けて搬出されることなく止まるので、原稿トレイ１２１の最下部に載置された原稿から１枚ずつ自動読取窓１０３に搬送される。
【００２５】
また、第１搬送ローラ１２６Ａは、自動読取窓１０３の入口側、つまり自動読取窓１０３より原稿の搬送方向上流側に配設されて原稿に接触して回転することにより、搬送されてきた原稿を自動読取窓１０３に搬送し、ピンチローラ１２６Ｂは原稿を第１搬送ローラ１２６Ａに押し付けながら、搬送される原稿に接触して従動回転する加圧ローラである。
【００２６】
そして、自動読取窓１０３の出口側、つまり自動読取窓１０３より原稿の搬送方向下流側であって、プラテン１０３Ａからずれた位置には、自動読取窓１０３を通過した原稿を排出トレイ１２３側に搬送する第２搬送ローラ１２８が設けられている。
【００２７】
そして、第２搬送ローラ１２８から搬送力が付与された原稿は、案内部材（図示せず。）により、その搬送方向が上方側に略１８０°転向させられた後、排出トレイ１２３側に排出される。因みに、ピンチローラ１２８Ａは、原稿を第２搬送ローラ１２８に押し付ける加圧ローラであり、このピンチローラ１２８Ａは、搬送される原稿に接触して従動回転する。
【００２８】
なお、本実施形態では、第１搬送ローラ１２６Ａの周速を第２搬送ローラ１２８の周速より小さくして搬送されてきた原稿のうち自動読取窓１０３に対応する部分に張力を発生させることにより、自動読取窓１０３において原稿が張架された状態となるようにしている。
【００２９】
また、第２搬送ローラ１２８Ａより搬送方向下流側の搬送経路Ｌｏは、分岐部Ｐ１にて上下に分岐しており、分岐部Ｐ１にて下方側に分岐した搬送経路Ｌ１は、反転機構１２７側に連通し、一方、搬送経路Ｌ２は排出トレイ１２３側に連通している。なお、原稿は、搬送フラップ（図示せず。）によって搬送経路Ｌ１又は搬送経路Ｌ２のいずれかに選択的に送られる。
【００３０】
反転機構１２７は、自動読取窓１０３を通過した原稿を、その搬送方向を反転させて自動読取窓１０３に再搬送する再搬送手段であり、この反転機構１２７は、原稿に搬送力を付与するスイッチバックローラ１２７Ａ、及び原稿をスイッチバックローラ１２７Ａに押し付けるピンチローラ１２７Ｂ等から構成されている。
【００３１】
そして、スイッチバックローラ１２７Ａは、自動読取窓１０３から排出された原稿の搬送方向前端がスイッチバックローラ１２７Ａに到達した時以降であって、当該原稿の搬送方向後端側が分岐部Ｐ２を通過したときに、その回転方向を正転方向から逆転方向に反転させて原稿を第１搬送ローラ１２６Ａに至る搬送経路Ｌ３に向けて搬出する。
【００３２】
なお、第３搬送ローラ１２７Ｃは、搬送経路Ｌ１に搬送されてきた原稿を反転機構１２７側に搬出する搬送手段であり、分岐部Ｐ１及び分岐部Ｐ２それぞれには、原稿の搬送経路を切り替える搬送フラップ（図示せず。）が設けられている。
【００３３】
また、分岐部Ｐ１にて上方側に分岐した搬送経路Ｌ２は、原稿読取が終了した原稿を排出トレイ１２３に排出するための排紙口１２３Ａに連通しており、この排紙口１２３Ａには、原稿を排出トレイ１２３に向けて排出する一対の排出ローラ１３０が設けられている。
【００３４】
また、排出トレイ１２３の排紙口１２３Ａ側には、排出トレイ１２３に既に載置されている原稿と排出トレイ１２３との間に原稿を潜り込ませるように排紙する（以下、このような排紙を潜込排紙という。）ための潜り込み機構１３３が設けられている。
【００３５】
この潜り込み機構１３３は、潜込排紙を実行させるための排紙フラップ１３３Ａ、排紙フラップ１３３Ａを第１ポジション（図１で示す状態）と第２ポジション（図２で示す状態）との間で揺動変位させるためクランク１３３Ｂ、及びクランク１３３Ｂを回転させるアクチュエータ（図示せず。）等から構成されている。
【００３６】
また、排紙フラップ１３３Ａの先端側には、排出トレイ１２３に既に載置されている原稿の排紙口１２３Ａ側を排出トレイ１２３から浮き上がらせるための突起部１３３Ｄが設けられている。
【００３７】
そして、排紙フラップ１３３Ａが第１ポジションに位置している場合には、潜込排紙が実行され、排紙フラップ１３３Ａが第２ポジションに位置している場合には、潜込排紙されることなく、排出トレイ１２３に既に載置されている原稿の最上位に積層されていく通常排紙が実行される。
【００３８】
２．２．自動原稿搬送機構の作動
原稿の表面（片面）に記載された画像のみを読み込む場合には、図１に示すように、読み取り対象となる画像が記載されている面を原稿トレイ１２１に面した状態で載置した後、読取開始スイッチ（図示せず。）を押下してフィーダ機構１２５を作動させる。
【００３９】
これにより、排紙フラップ１３３Ａが第１ポジションに自動設定された後、自動読取窓１０３から排出された原稿は搬送経路Ｌ２を経由して排出トレイ１２３に潜込排紙される。
【００４０】
また、原稿の表裏両面に記載された画像のみを読み込む場合には、表面と画像として読み込ませたい画像が記載されている面を原稿トレイ１２１に面した状態で載置した後、読取開始スイッチを押下してフィーダ機構１２５を作動させる。
【００４１】
これにより、排紙フラップ１３３Ａが第２ポジションに自動設定された後、自動読取窓１０３から排出された原稿は、図２に示すように、搬送経路Ｌ１を経由してスイッチバックローラ１２７Ａ側に排出される。
【００４２】
そして、原稿の搬送方向後端側が分岐部Ｐ２を通過したときに、スイッチバックローラ１２７Ａの回転方向が反転し、図３に示すように、表面の画像読込が完了した原稿は、搬送経路Ｌ３を経由して自動読取窓１０３に搬送されて裏面の画像が読み込まれた後、搬送経路Ｌ２を経由して排出トレイ１２３に通常排紙される。
【００４３】
このとき、本実施形態では、スイッチバックローラ１２７Ａが逆転しているとき（原稿の搬送方向後端側が分岐部Ｐ２を通過した後）の周速が、スイッチバックローラ１２７Ａが正転しているとき（原稿の搬送方向後端側が分岐部Ｐ２を通過前）の周速に比べて小さくなるように設定されている。
【００４４】
具体的には、正転時のスイッチバックローラ１２７Ａの周速は、第２搬送ローラ１２８又は第３搬送ローラ１２７Ｃとほぼ等しい周速であり、逆転時のスイッチバックローラ１２７Ａの周速は、第１搬送ローラ１２６Ａの周速より小さい周速に設定されている。このため、表面の読み取りが完了して自動読取窓１０３の入口側に再送される原稿には、第１搬送ローラ１２６Ａとスイッチバックローラ１２７Ａの周速の差だけスイッチバックローラ１２７Ａから搬送抵抗が付与された状態となる。
【００４５】
３．スイッチバックローラの駆動系等
スイッチバックローラ１２７Ａは、図４に示すように、駆動力を伝達する複数の歯車からなる変速機１３５を介して駆動力を得て回転し、この変速機１３５は、正転方向に駆動力を伝達する正転経路ＤＬ１と、逆転方向に駆動力を伝達する逆転経路ＤＬ２とが切替可能となっている。
【００４６】
すなわち、変速機１３５は、駆動力の入力側に配設された入力側歯車１３５Ｃ、入力側歯車１３５Ｃに噛み合って回転し、かつ、その回転軸が入力側歯車１３５Ｃの回転軸を中心として揺動可能な遊星歯車１３７Ａ、正転経路ＤＬ１を構成するとともに遊星歯車１３７Ａと噛み合う正転側入力歯車１３５Ｄ、並びに逆転経路ＤＬ２を構成するとともに遊星歯車１３７Ａと噛み合う逆転側入力歯車１３５Ｆ等を有して構成されている。
【００４７】
そして、遊星歯車１３７Ａが、正転側入力歯車１３５Ｄと噛み合う位置（図６の実線で示す状態）と逆転側入力歯車１３５Ｆと噛み合う位置（図６の二点鎖線で示す状態）との間で揺動変位することにより、正転経路ＤＬ１と逆転経路ＤＬ２とが切り替えられる。
【００４８】
つまり、遊星歯車１３７Ａが、正転側入力歯車１３５Ｄと噛み合った状態では、電動モータ（図示せず。）にて発生した駆動力は、図４に示すように、歯車１３５Ａ→歯車１３５Ｂ→入力歯車１３５Ｃ→遊星歯車１３７Ａ→正転側入力歯車１３５Ｄ→歯車１３５Ｅの順に伝達され、歯車１３５Ｅに一体化されている回転軸１２７Ｄを介してスイッチバックローラ１２７Ａが正転駆動される。なお、図４〜図６では、これらの歯車の歯を一部省略して図示している。
【００４９】
一方、遊星歯車１３７Ａが、逆転側入力歯車１３５Ｆと噛み合った状態では、電動モータにて発生した駆動力は、図５に示すように、歯車１３５Ａ→歯車１３５Ｂ→入力歯車１３５Ｃ→遊星歯車１３７Ａ→逆転側入力歯車１３５Ｆ→歯車１３５Ｇ→歯車１３５Ｈ→歯車１３５Ｅの順に伝達され、回転軸１２７Ｄを介してスイッチバックローラ１２７Ａが逆転駆動される。
【００５０】
このとき、正転経路ＤＬ１の減速比に比べて逆転経路ＤＬ２の減速比が大きくなるような所定の減速比に設定されているため、スイッチバックローラ１２７Ａが逆転しているときの周速が、スイッチバックローラ１２７Ａが正転しているときの周速に比べて小さくなる。具体的には、スイッチバックローラ１２７Ａの材質等にもよるが、周速差としては大１搬送ローラ１２６Ａの周速に対して５０％〜７０％程度となるようにすることが好ましい。
【００５１】
なお、遊星歯車１３７Ａは、入力歯車１３５Ｃに噛み合った状態で入力側歯車１３５Ｃの回転軸に回転可能に組み付けられたアーム１３７Ｂに回転可能に組み付けられているため、入力歯車１３５Ｃから反力を受け、入力側歯車１３５Ｃの回転軸を中心として揺動（公転）しようとする。そこで、本実施形態では、入力歯車１３５Ｃの回転方向を切り替えて反力の向きを切り替えることにより、正転経路ＤＬ１と逆転経路ＤＬ２とを切り替えている。
【００５２】
また、回転軸１２７Ｄは、原稿の搬送方向及び原稿の厚み方向と直交する幅方向と平行な方向に延びているとともに、この回転軸１２７Ｄには、複数個（本実施形態では、２個）のスイッチバックローラ１２７Ａが組み付けられている。そして、スイッチバックローラ１２７Ａは、原稿との接触部が幅方向中央に対して対称となるように設定されている。
【００５３】
４．本実施形態に係る画像読取装置の特徴
上述したように、原稿に搬送抵抗を付与することにより複数枚の原稿を１枚ずつに分離する画像読取装置においては、原稿の表面を読み取る際の自動読取窓１０３での原稿搬送速度（第１搬送速度）と裏面を読み取る際の自動読取窓１０３での原稿搬送速度（第２搬送速度との速度差）の発生原因は、主にフィーダ機構１２５（分離パッド１２５Ｄ）で付与される搬送抵抗と考えられる。
【００５４】
つまり、表面を読み取る際にはフィーダ機構１２５から自動読取窓１０３に原稿が送出されるので、自動読取窓１０３に原稿が到達した後も所定時間はフィーダ機構１２５による搬送抵抗が原稿に作用し続けるのに対して、裏面を読み取る際にはフィーダ機構１２５による搬送抵抗が原稿に作用しないので、第１搬送速度と第２搬送速度とが大きく相違してしまう。
【００５５】
これに対して、本実施形態では、再送時のスイッチバックローラ１２７Ａの周速が第１搬送ローラ１２６Ａの周速より小さいので、表面の読み取りが完了した原稿にスイッチバックローラ１２７Ａにより搬送抵抗が付与されることとなる。
【００５６】
したがって、第１搬送速度と第２搬送速度との速度差を小さくすることができるので、特許文献１と異なる簡易な構成で、表面と裏面とで画像倍率が大きく相違してしまうことを抑制できる。
【００５７】
なお、上述の説明からも明らかなように、スイッチバックローラ１２７Ａの周速は、理想的には、フィーダ機構１２５から第１搬送ローラ１２６Ａまでの搬送抵抗とスイッチバックローラ１２７Ａから第１搬送ローラ１２６Ａまでの搬送抵抗とが同一となるように設定することが望ましい。
【００５８】
また、本実施形態では、裏面を読み取り際に必要となる既存のスイッチバックローラ１２７Ａを利用して自動読取窓１０３の入口側に再送される原稿に搬送抵抗を付与することができるので、特許文献１と異なる簡易な構成で、表面と裏面とで画像倍率が大きく相違してしまうことを抑制できる。
【００５９】
また、本実施形態では、正転経路ＤＬ１と逆転経路ＤＬ２とで変速機１３５の変速比が異なることにより、再送時にスイッチバックローラ１２７Ａの周速を小さくするので、現状の画像読取装置に対して、逆転経路ＤＬ２の変速比を変更するのみで、容易に表面と裏面とで画像倍率が大きく相違してしまうことを抑制できる。
【００６０】
また、本実施形態では、スイッチバックローラ１２７Ａと原稿との接触部が幅方向中央に対して対称となるように設定されているので、再送される原稿に幅方向において均等に搬送抵抗を付与することができ、再送される原稿が斜行してしまうことを抑制できる。
【００６１】
５．発明特定事項と実施形態との対応関係
本実施形態では、自動読取窓１０３が特許請求の範囲に記載された読取部に相当し、フィーダ機構１２５が特許請求の範囲に記載された分離手段に相当し、スイッチバックローラ１２７Ａが特許請求の範囲に記載された抵抗付与手段及び再送ローラに相当する。
【００６２】
（第２実施形態）
本実施形態は、スイッチバックローラ１２７Ａとは別に、自動読取窓１０３の入口側に再送される原稿に接触して摩擦力を発生させる摩擦抵抗体１３９により抵抗付与手段を構成したものである。なお、本実施形態に係るスイッチバックローラ１２７Ａでは、正転時の周速と逆転時の周速とは同じである。
【００６３】
すなわち、図７に示すように、スイッチバックローラ１２７Ａの回転軸１２７Ｄから再送される原稿の搬送方向後端側に延びるアーム１３９Ａを回転軸１２７Ｄに回転可能に組み付けるとともに、このアーム１３９Ａの先端側に摩擦抵抗体１３９を設けたものである。
【００６４】
なお、ガイド１３９Ｂ、１３９Ｃは原稿の搬送を案内するものであり、特に、ガイド１３９Ｃのうち摩擦抵抗体１３９に対応する部位は壁状に構成されている。
これにより、再送時（逆転時）には、回転軸１２７Ｄとアーム１３９Ａとの接触部で発生する摩擦抵抗により、摩擦抵抗体１３９が原稿に押し付けられるようにアーム１３９Ａが回転しようとする。一方、正転時には、逆転時とは逆に、回転軸１２７Ｄとアーム１３９Ａとの接触部で発生する摩擦抵抗により、摩擦抵抗体１３９が原稿から離間するようにアーム１３９Ａが回転しようとする。
【００６５】
したがって、本実施形態では、原稿が自動読取窓１０３に再送されるときにのみ積極的に搬送抵抗を付与することが可能となるので、特許文献１と異なる簡易な構成で、表面と裏面とで画像倍率が大きく相違してしまうことを抑制できる。
【００６６】
（第３実施形態）
第２実施形態では、アーム１３９Ａを回転軸１２７Ｄに組み付けたが、本実施形態では、図８に示すように、アーム１３９Ａの回転軸１３９Ｄを、再送される原稿の搬送方向後端側に設定するとともに、回転軸１３９Ｄから摩擦抵抗体１３９までの長さＡを、回転軸１３９Ｄからガイド１３９Ｃまでの距離Ｂより長くしたものである。
【００６７】
これにより、摩擦抵抗体１３９は、正転時には、自身及びアーム１３９Ａの自重によるモーメントにより原稿に押し付けられるが、スイッチバックローラ１２７Ａが逆転し、原稿が再送されると、原稿と摩擦抵抗体１３９との接触面で発生する摩擦力により、アーム１３９Ａが、矢印Ｃに示されるように、スイッチバックローラ１２７Ａに近づくように回転しようとするものの、ガイド１３９Ｃによりその回転が阻害されるので、原稿と摩擦抵抗体１３９との接触面圧が正転時より高まって摩擦抵抗力が大きくなる。
【００６８】
したがって、本実施形態においても、原稿が自動読取窓１０３に再送されるときにのみ積極的に搬送抵抗を付与することが可能となるので、特許文献１と異なる簡易な構成で、表面と裏面とで画像倍率が大きく相違してしまうことを抑制できる。
【００６９】
（その他の実施形態）
第１実施形態では、スイッチバックローラ１２７Ａを正転又は逆転させて原稿をスイッチバック搬送したが、本発明はこれに限定されるものではなく、正転専用の搬送ローラと逆転専用の再送ローラとを別々に設けてもよい。
【００７０】
また、上述の実施形態では、潜込排紙が可能なフィーダ機構１２５であったが、本発明はこれに限定されるものではない。
また、第１実施形態では、入力歯車１３５Ｃの回転方向を切り替えることにより、正転経路ＤＬ１と逆転経路ＤＬ２とを切り替えたが、本発明はこれに限定されるものではなく、例えばソレノイド等のアクチュエータを用いてアーム１３７Ｂを揺動変位させてもよい。
【００７１】
また、本発明は、特許請求の範囲に記載された発明の趣旨に合致するものであればよく、上述の実施形態に限定されるものではない。
【符号の説明】
【００７２】
１…特許文献、１００…画像読取装置、１０１…本体部、１０２…静止読取窓、
１０２Ａ…プラテン、１０３…自動読取窓、１０３Ａ…プラテン、
１０４…原稿カバー、１０５…画像撮像素子、１２１…原稿トレイ、
１２３…排出トレイ、１２３Ａ…排紙口、１２５…フィーダ機構、
１２５Ａ…吸入ローラ、１２５Ｂ…ニップピース、１２５Ｃ…分離ローラ、
１２５Ｄ…分離パッド、１２６Ａ…第１搬送ローラ、１２６Ｂ…ピンチローラ、
１２７…反転機構、１２７Ａ…スイッチバックローラ、１２７Ｃ…第３搬送ローラ、
１２７Ｄ…回転軸、１２８…第２搬送ローラ、１２８Ａ…ピンチローラ、
１２８Ａ…第２搬送ローラ、１３０…排出ローラ、１３３…潜り込み機構、
１３３Ａ…排紙フラップ、１３３Ｂ…クランク、１３３Ｄ…突起部、
１３５…変速機、１３５Ａ〜１３５Ｈ…歯車、１３７Ａ…遊星歯車。
【図１】
0005720161.tif 000002
【図２】
0005720161.tif 000003
【図３】
0005720161.tif 000004
【図４】
0005720161.tif 000005
【図５】
0005720161.tif 000006
【図６】
0005720161.tif 000007
【図７】
0005720161.tif 000008
【図８】
0005720161.tif 000009